(57)【要約】【課題】複数個を互いに連結可能で、かつ、特定のハンガーのフック部の開口が他のハンガーのフック部により閉塞されるように各ハンガーが互いに連結されるのを防止可能なハンガーを提供すること。【解決手段】複数個が互いに連結された状態で用いることが可能なハンガーであって、ハンガー本体（１０）と、ハンガー本体（１０）に固定された磁石ユニット（３０）と、を備え、ハンガー本体（１０）は、右肩部（１２）及び左肩部（１４）と、左右方向の一方側に開口する状態で固定されたフック部（１６）と、を有し、磁石ユニット（３０）は、ハンガー本体（１０）の厚さ方向の一方側にＳ極が位置するとともに他方側にＮ極が位置する姿勢でハンガー本体（１０）に固定される磁石（３２）を含むこと。【選択図】図１
2016214707.tif 000002
【特許請求の範囲】
【請求項１】
複数個が互いに連結された状態で用いることが可能なハンガーであって、
ハンガー本体と、
前記ハンガー本体に固定された磁石ユニットと、を備え、
前記ハンガー本体は、衣類を掛ける右肩部及び左肩部と、前記右肩部と前記左肩部との間に左右方向の一方側に開口する状態で固定されたフック部と、を有し、
前記磁石ユニットは、前記ハンガー本体の厚さ方向の一方側にＳ極が位置するとともに他方側にＮ極が位置する姿勢で前記ハンガー本体に固定される磁石を含む、ハンガー。
【請求項２】
請求項１に記載のハンガーにおいて、
前記磁石ユニットは、当該磁石ユニットの外側面と前記ハンガー本体の外側面とが面一となるように、または、当該磁石ユニットの外側面が前記ハンガー本体の外側面よりも前記ハンガー本体の厚さ方向の内側に位置するように、前記ハンガー本体に固定されている、ハンガー。
【請求項３】
請求項２に記載のハンガーにおいて、
前記ハンガー本体の外側面のうち少なくとも前記厚さ方向に重なり合う部位に粗面化処理が施されている、ハンガー。
【請求項４】
請求項２又は３に記載のハンガーにおいて、
前記ハンガー本体には、当該ハンガー本体の内部で前記磁石ユニットを保持する保持部が形成されており、
前記磁石ユニットは、前記磁石を保持するとともに前記保持部に対して嵌合可能な嵌合部材をさらに有し、
前記嵌合部材は、当該嵌合部材が前記保持部に嵌合した状態において前記磁石を被覆する形状を有する、ハンガー。
【発明の詳細な説明】
【技術分野】
【０００１】
本発明は、ハンガーに関する。
【背景技術】
【０００２】
従来、衣類を掛けるハンガーとして、単体（単独）での使用及び複数個が互いに連結した状態での使用の双方が可能なものが知られている。例えば、特許文献１には、磁力により複数個が互いに連結した状態で使用可能なハンガーが開示されている。具体的に、このハンガーは、ハンガー本体と、ハンガー本体に固定された磁石と、を有している。ハンガー本体は、衣類を掛ける右肩部及び左肩部と、右肩部と左肩部との間に左右方向の一方側に開口する状態で固定されたフック部と、を有している。磁石は、ハンガー本体の外側面に固定されている。
【０００３】
このハンガーは、例えば次のようにして用いられることが多い。すなわち、シャツ等の比較的軽い衣類を掛ける場合、単一のハンガーが用いられる一方、ジャケット等の比較的重い衣類を掛ける場合、複数個のハンガーが互いに連結した状態で用いられる。例えば、２個のハンガーを互いに連結させる場合、第１ハンガーの磁石と第２ハンガーの磁石とが互いにハンガー本体の厚さ方向に重なり合うように両ハンガーを近づけることにより、これらハンガーが一体化される。
【先行技術文献】
【特許文献】
【０００４】
【特許文献１】特開２０００−０１４５１８号公報
【発明の概要】
【発明が解決しようとする課題】
【０００５】
一般に、磁石として、等方性のものと異方性のものとが知られているが、等方性の磁石の方が安価なものが多く、通常、ハンガーのような日用品では等方性の磁石が用いられる。このため、上記特許文献１に記載されるハンガーでは、第１ハンガーと第２ハンガーとを互いに連結させた際、一方のハンガーのフック部の開口が他方のハンガーのフック部により閉塞される場合がある。具体的に、磁石が等方性のものであるため、第１ハンガーと第２ハンガーとは、第１ハンガーの一方の外側面（表面）と第２ハンガーの他方の外側面（裏面）とが互いに接触する姿勢及び第１ハンガーの一方の外側面（表面）と第２ハンガーの一方の外側面（表面）とが互いに接触する姿勢の双方で連結され得る。よって、第１ハンガーの一方の外側面（表面）と第２ハンガーの一方の外側面（表面）とが互いに接触する姿勢、すなわち、各ハンガーのフック部の開口の向きが互いに逆向きとなる姿勢で両ハンガーが連結された場合、一方のハンガーのフック部の開口が他方のハンガーのフック部により閉塞される。この場合、両ハンガーのフック部をハンガーポール等に掛けることができない。
【０００６】
本発明の目的は、複数個を互いに連結可能で、かつ、特定のハンガーのフック部の開口が他のハンガーのフック部により閉塞されるように各ハンガーが互いに連結されるのを防止可能なハンガーを提供することである。
【課題を解決するための手段】
【０００７】
前記課題を解決するための手段として、本発明は、複数個が互いに連結された状態で用いることが可能なハンガーであって、ハンガー本体と、前記ハンガー本体に固定された磁石ユニットと、を備え、前記ハンガー本体は、衣類を掛ける右肩部及び左肩部と、前記右肩部と前記左肩部との間に左右方向の一方側に開口する状態で固定されたフック部と、を有し、前記磁石ユニットは、前記ハンガー本体の厚さ方向の一方側にＳ極が位置するとともに他方側にＮ極が位置する姿勢で前記ハンガー本体に固定される磁石を含む、ハンガーを提供する。
【０００８】
本ハンガーでは、ハンガー本体の厚さ方向の一方側にＳ極が位置するとともに他方側にＮ極が位置する姿勢で磁石がハンガー本体に固定されるので、複数個のハンガーを厚さ方向に連結する場合、これらを連結可能な向きが制限される。具体的に、特定のハンガーの磁石のＳ極と他のハンガーの磁石のＮ極とがハンガー本体の厚さ方向に互いに重なり合うように両ハンガーを近づけた場合にこれらハンガーの連結が可能となる。そして、複数個のハンガーを互いに連結させた場合、各フック部の開口の向きが同じ向きに揃う。よって、従来のように、特定のハンガーのフック部の開口が他のハンガーのフック部により閉塞されるように各ハンガーが互いに連結されることが防止される。
【０００９】
この場合において、前記磁石ユニットは、当該磁石ユニットの外側面と前記ハンガー本体の外側面とが面一となるように、または、当該磁石ユニットの外側面が前記ハンガー本体の外側面よりも前記ハンガー本体の厚さ方向の内側に位置するように、前記ハンガー本体に固定されていることが好ましい。
【００１０】
この態様では、ハンガー本体の外側面から磁石ユニットが突出している場合に比べて、複数個のハンガーを互いに連結させた場合のこれらハンガーの厚さ方向の総寸法が短縮される。このため、互いに連結した状態にある複数個のハンガーの占有スペースを小さくすることができる。さらに、ハンガー本体の外側面から磁石ユニットが突出している場合に比べて、磁石ユニットへの衣類等の引っ掛かりが抑制されるので、ハンガー本体からの磁石ユニットの脱落が抑制される。
【００１１】
さらにこの場合において、前記ハンガー本体の外側面のうち少なくとも前記厚さ方向に重なり合う部位に粗面化処理が施されていることが好ましい。
【００１２】
このようにすれば、複数個のハンガーがハンガー本体の厚さ方向に互いに連結された状態においてジャケット等の比較的重い衣類を掛けたときに、各ハンガーが分離することが抑制される。具体的に、ジャケット等の比較的重い衣類を掛けた際、両肩部の外端部同士が互いに近づくように当該両肩部に力が作用するために両肩部に撓みが生じるものの、ハンガー本体の外側面同士が面接触しておりかつ当該外側面には粗面化処理が施されているため、前記両肩部の撓みは、粗面化処理された外側面間に生じる摩擦により低減される。よって、前記撓みに起因する各ハンガーの磁石の左右方向ないし上下方向（ハンガー本体の厚さ方向と直交する方向）への位置ずれ、及びこれによる各ハンガー同士の分離が抑制される。
【００１３】
また、本発明において、前記ハンガー本体には、当該ハンガー本体の内部で前記磁石ユニットを保持する保持部が形成されており、前記磁石ユニットは、前記磁石を保持するとともに前記保持部に対して嵌合可能な嵌合部材をさらに有し、前記嵌合部材は、当該嵌合部材が前記保持部に嵌合した状態において前記磁石を被覆する形状を有することが好ましい。
【００１４】
この態様では、磁石ユニットがハンガー本体内に保持され、しかも、その状態において磁石が嵌合部材により被覆されているので、つまり、磁石がハンガー本体から外部に露出しないので、見栄えが向上する。
【発明の効果】
【００１５】
以上のように、本発明によれば、複数個を互いに連結可能で、かつ、特定のハンガーのフック部の開口が他のハンガーのフック部により閉塞されるように各ハンガーが互いに連結されるのを防止可能なハンガーを提供することができる。
【図面の簡単な説明】
【００１６】
【図１】本発明の一実施形態のハンガーの正面図である。
【図２】図１に示すハンガーの分解斜視図である。
【図３】図１のＩＩＩ−ＩＩＩ線での断面図である。
【発明を実施するための形態】
【００１７】
本発明の一実施形態のハンガーについて、図１〜図３を参照しながら説明する。本ハンガーは、単体（単独）での使用及び複数個を互いに連結させた状態での使用の双方が可能なものである。
【００１８】
図１〜図３に示されるように、本ハンガーは、ハンガー本体１０と、磁石ユニット３０と、を備えている。
【００１９】
ハンガー本体１０は、右肩部１２と、左肩部１４と、フック部１６と、連結部１８と、を有している。図２に示されるように、このハンガー本体１０は、全体として偏平に形成されている。また、ハンガー本体１０は、合成樹脂により形成されている。
【００２０】
右肩部１２及び左肩部１４は、左右方向に互いに離間するにしたがって下方に向かうように傾斜する形状を有する。
【００２１】
フック部１６は、右肩部１２と左肩部１４との間に接続されている。より具体的には、フック部１６は、左右方向の一方側に開口する状態で右肩部１２と左肩部１４との間に固定されている。本実施形態では、フック部１６は、ハンガー本体１０を正面から見たときに左向きに開口する形状に形成されている。
【００２２】
連結部１８は、各肩部１２，１４の下端部同士を連結している。なお、連結部１８は、省略されてもよい。
【００２３】
本実施形態では、ハンガー本体１０の外側面、すなわち、ハンガー本体１０の表面１０ａ及び裏面１０ｂ（図２及び図３を参照）の全域に、粗面化処理（シボ加工、梨地加工）が施されている。この処理は、金型を用いて、すなわち、ハンガー本体１０の成形時に施される。なお、粗面化処理は、両肩部１２，１４の外側面のみに施されてもよく、あるいは、連結部１８の外側面のみに施されてもよい。
【００２４】
右肩部１２と連結部１８との境界、及び、左肩部１４と連結部１８の境界には、それぞれ磁石ユニット３０を保持する保持部１９（図２及び図３を参照）が形成されている。各保持部１９は、ハンガー本体１０の内部で磁石ユニット３０を保持可能な形状を有する。具体的に、各保持部１９は、ハンガー本体１０のうち当該保持部１９以外の部位の表面１０ａから裏面１０ｂに向かって窪む形状を有している。なお、各保持部１９は、ハンガー本体１０をその厚さ方向に貫通する形状に形成されてもよい。各保持部１９は、磁石ユニット３０の外形に対応する形状を有する内周面を有している。本実施形態では、保持部１９の内周面は、円筒状に形成されている。また、保持部１９の中心は、連結部１８の上辺１８ａの延長線よりも上側（フック部１６側）の位置に設定されている。
【００２５】
磁石ユニット３０は、磁石３２を含み、ハンガー本体１０に固定されるものである。具体的に、磁石ユニット３０は、単一の磁石３２と、嵌合部材３４と、を有している。
【００２６】
磁石３２は、円柱状（円盤状）に形成されている。本実施形態では、磁石３２として異方性のものが用いられている。具体的に、磁石３２のＳ極は、当該磁石３２の軸方向の一方側に位置し、Ｎ極は、当該磁石３２の軸方向の他方側に位置している。本実施形態では、磁石３２として、ネオジム磁石が用いられている。
【００２７】
嵌合部材３４は、磁石３２を保持するとともに保持部１９に対して着脱自在に嵌合可能な形状を有している。図３に示されるように、嵌合部材３４は、当該嵌合部材３４が保持部１９に嵌合した状態においてハンガー本体１０の厚さ方向（図３の上下方向）の一方の外側面（本実施形態では表面１０ａ）側にＳ極が位置するとともに他方の外側面（本実施形態では裏面１０ｂ）側にＮ極が位置する姿勢となるように、磁石３２を保持する。換言すれば、嵌合部材３４は、当該嵌合部材３４が保持部１９に嵌合した状態において磁石３２のＳ極からＮ極に向かう向きとフック部１６の開口１６ａの向きとが互いに対応付けられた姿勢となるように、磁石３２を保持する。このため、本ハンガーが複数用意された場合、右肩部１２と連結部１８との境界に配置される各磁石３２の姿勢及び左肩部１４と連結部１８との境界に配置される各磁石３２の姿勢は、全て同じになる。嵌合部材３４は、合成樹脂により形成されている。
【００２８】
本実施形態では、嵌合部材３４は、当該嵌合部材３４が保持部１９に嵌合した状態において磁石３２を被覆する形状を有する。具体的に、嵌合部材３４は、磁石３２の周囲を取り囲む周壁３６と、周壁３６の一方側の開口を閉塞する被覆壁３８と、を有する。周壁３６は、円筒状に形成されている。周壁３６の外径は、保持部１９の内径と同じかそれよりもわずかに大きく設定される。このため、嵌合部材３４を保持部１９内に圧入することにより当該嵌合部材３４が保持部１９に嵌合される。被覆壁３８は、周壁３６が保持部内に嵌合した状態において磁石３２を被覆する形状を有する。被覆壁３８の外側面３８ａは、当該嵌合部材３４が保持部１９に嵌合した状態（周壁３６の外周面が保持部１９の内周面に密着した状態）においてハンガー本体１０の表面１０ａと面一となるように平坦に形成されている。
【００２９】
次に、本ハンガーの使用方法について説明する。
【００３０】
例えば、シャツ等の比較的軽い衣類を掛ける場合、本ハンガーが単体（単独）で用いられる。一方、ジャケット等の比較的重い衣類を掛ける場合、複数個のハンガーが互いに連結した状態で用いられる。例えば、２個のハンガーを互いに連結させる場合、第１ハンガーの磁石３２と第２ハンガーの磁石３２とが互いにハンガー本体１０の厚さ方向に重なり合うように両ハンガーを近づけることにより、これらハンガーが一体化される。
【００３１】
ここで、本ハンガーでは、ハンガー本体１０の厚さ方向の一方側にＳ極が位置するとともに他方側にＮ極が位置する姿勢で磁石３２がハンガー本体１０に固定されているので、複数のハンガーを厚さ方向に連結する場合、これらを連結可能な向きが制限される。具体的に、第１ハンガーの磁石３２のＳ極と第２ハンガーの磁石３２のＮ極とがハンガー本体１０の厚さ方向に互いに重なり合うように両ハンガーを近づけた場合にこれらハンガーの連結が可能となる。そして、複数個のハンガーを互いに連結させた場合、各フック部１６の開口１６ａの向きが同じ向きに揃う。よって、第１ハンガーのフック部１６の開口１６ａが第２ハンガーのフック部１６により閉塞されるように各ハンガーが互いに連結されることが防止される。
【００３２】
また、本実施形態では、磁石ユニット３０の外側面３８ａとハンガー本体１０の表面１０ａとが面一であるので、ハンガー本体１０の表面１０ａから磁石ユニット３０が厚さ方向に突出している場合に比べて、複数個のハンガーを互いに連結させた場合のこれらハンガーの厚さ方向の総寸法が短縮される。このため、互いに連結した状態にある複数個のハンガーの占有スペースを小さくすることができる。さらに、ハンガー本体１０の表面１０ａから磁石ユニット３０が突出している場合に比べて、磁石ユニット３０への衣類等の引っ掛かりが抑制されるので、ハンガー本体１０からの磁石ユニット３０の脱落が抑制される。加えて、見栄えも向上する。
【００３３】
また、本実施形態では、ハンガー本体１０の外側面１０ａ，１０ｂに粗面化処理が施されているので、複数個のハンガーが互いに連結された状態においてジャケット等の比較的重い衣類を掛けたときに、各ハンガーが分離することが抑制される。具体的に、ジャケット等の比較的重い衣類を掛けた際、両肩部１２，１４の外端部（下端部）同士が互いに近づくように当該両肩部１２，１４に力が作用するために両肩部１２，１４に撓みが生じるものの、磁石ユニット３０の外側面３８ａとハンガー本体１０の表面１０ａとが面一であることからハンガー本体１０の外側面同士は面接触しており、しかも、その外側面には粗面化処理が施されているため、前記両肩部１２，１４の撓みは、粗面化処理された外側面間に生じる摩擦により低減される。よって、前記撓みに起因する各ハンガーの磁石３２の左右方向ないし上下方向（前記厚さ方向と直交する方向）への位置ずれ、及びこれによる各ハンガー同士の分離が抑制される。
【００３４】
また、嵌合部材３４は、当該嵌合部材３４が保持部１９に嵌合した状態において磁石３２を被覆する形状を有する被覆壁３８を有している。このため、磁石ユニット３０がハンガー本体１０内に保持された状態において磁石３２が被覆壁３８により被覆されるので、つまり、磁石３２がハンガー本体１０から外部に露出しないので、見栄えが向上する。
【００３５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３６】
例えば、磁石ユニット３０の固定箇所は、上記の例に限られない。磁石ユニット３０は、ハンガー本体１０の任意の部位（フック部１６、右肩部１２と左肩部１４との境界、連結部１８の左右方向の中間部等）に固定されることが可能である。
【００３７】
また、右肩部１２と連結部１８との境界に固定される磁石３２の姿勢と、左肩部１４と連結部１８との境界に固定される磁石の姿勢とは、互いに逆向きでもよい。
【００３８】
また、磁石ユニット３０は、磁石３２のみにより構成されてもよい。この場合、磁石３２の表面がハンガー本体１０の表面１０ａと面一となるように保持部１９の形状及び磁石３２の形状が設定される。
【００３９】
また、磁石３２の形状は、ハンガー本体１０の厚さ方向の一方側にＳ極が位置し、他方側にＮ極が位置するのであれば、円柱状（円盤状）に限られず、多角柱状、円環状、球状等に形成されてもよい。また、保持部１９の形状及び嵌合部材３４の周壁３６の形状は、磁石３２の外形に相似形状に設定されることが好ましい。
【符号の説明】
【００４０】
１０    ハンガー本体
１２    右肩部
１４    左肩部
１６    フック部
１８    連結部
１９    保持部
３０    磁石ユニット
３２    磁石
３４    嵌合部材
【図１】
2016214707.tif 000003
【図２】
2016214707.tif 000004
【図３】
2016214707.tif 000005